(57)【要約】      （修正有）【課題】ベビーキャリアにより保持された幼児の口が肩掛けベルトやキャリア本体に触れることを防ぐことができ、かつ汚れた場合にはベビーキャリアから取り外して簡単に洗える汚れ防止カバーを提供する。【解決手段】カバー本体１は、ベビーキャリアＢのキャリア本体ｂ１から延設される肩掛けベルトｂ２の少なくともベルト根元部分４からキャリア本体ｂ１の上辺縁部５に至る形状にて当該ベルト根元部分４と上辺縁部５を覆うように装着される。【選択図】図１
0003172867.tif 000002
【実用新案登録請求の範囲】
【請求項１】
キャリア本体から肩掛けベルトを延設させてなる構成のベビーキャリアに装着される汚れ防止カバーであって、
カバー本体は、前記キャリア本体から延設される前記肩掛けベルトの少なくともベルト根元部分から前記キャリア本体の上辺縁部に至る形状にて当該ベルト根元部分と上辺縁部を覆うように形成されていることを特徴とするベビーキャリア用汚れ防止カバー。
【請求項２】
前記カバー本体は、前記肩掛けベルトの少なくともベルト根元部分に巻き付けられるように係脱部材を介して着脱可能に取り付けられるベルトカバー部と、このベルトカバー部から連設されて前記キャリア本体の上辺縁部にキャリア内外面に沿うように取り付けられるキャリアカバー部とから形成され、
前記キャリアカバー部には前記上辺縁部からキャリア内外面を挟み込むように係止させる係止部材を備えていることを特徴とする請求項１に記載のベビーキャリア用汚れ防止カバー。
【考案の詳細な説明】
【技術分野】
【０００１】
本考案は、ベビーキャリア用汚れ防止カバーに係り、詳しくは、幼児を前側抱っこや後側抱っこの状態で保持する構成のベビーキャリアに装着されて使用される汚れ防止カバーに関する。
【背景技術】
【０００２】
幼児（赤ちゃん）を連れて外出などをする際には、ベビーキャリアにて幼児を前側抱っこ（対面・前向き抱っこ）や後側抱っこ（おんぶ）の状態で保持して外出する。
このように前側抱っこや後側抱っこの状態で幼児を保持するベビーキャリアとしては、主に幼児の股から上半身を包み込むように保持するキャリア本体と、キャリア本体の背当て部から延設されてキャリア本体を使用者の身体に支持させる左右の肩掛けベルトとを備えて構成されているなどの、種々の形態のものが提案されている（例えば、特許文献１および特許文献２などを参照）。
【先行技術文献】
【特許文献】
【０００３】
【特許文献１】特開２００５−１１８４７１号公報
【特許文献２】特開２００６−１３０２３３号公報
【考案の概要】
【考案が解決しようとする課題】
【０００４】
ところで、幼児を前側抱っこの状態などで保持した場合、幼児の口が肩掛けベルトやキャリア本体に触れ易い。幼児の口が触れた肩掛けベルトやキャリア本体の接触部分はよだれや飲食したミルクなどが付着して汚れる。
主に、キャリア本体に保持された幼児が顔を横に向けたときに幼児の口が触れ易いキャリア本体の上辺縁部やこの上辺縁部から上方に延設する肩掛けベルトのベルト根元部分がよだれや飲食したミルクなどが付着して汚れてしまうという問題があった。
しかしながら、肩掛けベルトやキャリア本体の一部分が汚れたかといってベビーキャリア自体を洗濯して汚れを洗い落とすことは、ベビーキャリアの型崩れ、生地を傷めてしまうこと、色落ちなどによって色があせてしまうこと、そして手間が掛るなどから行われていないのが実情である。
また、肩掛けベルトやキャリア本体の汚れた汚染部分に幼児の口が触れることで、ばい菌が幼児の口に入ること、汚染部分に悪臭が発生することなどにより、非衛生的で幼児に与える健康面などからも好ましいものではなかった。
【０００５】
そこで、本考案は、このような問題を解消することを課題に創案されたものである。すなわち、ベビーキャリアにより保持された幼児の口が肩掛けベルトやキャリア本体に触れることを防ぐことができること、汚れた場合にはベビーキャリアから取り外して簡単に洗えること、などが本考案の目的である。
【課題を解決するための手段】
【０００６】
前記課題を解決するために、本考案に係るベビーキャリア用の汚れ防止カバーでは少なくとも以下の構成を具備している。
すなわち、キャリア本体から肩掛けベルトを延設させて備えてなる構成のベビーキャリアに装着される汚れ防止カバーであって、
カバー本体は、前記キャリア本体から延設される前記肩掛けベルトの少なくともベルト根元部分から前記キャリア本体の上辺縁部に至る形状にて当該ベルト根元部分と上辺縁部を覆うように形成されていることを特徴とする。
【０００７】
ここで、前記カバー本体は、前記肩掛けベルトの少なくともベルト根元部分に巻き付けられるように係脱部材を介して取り付けられるベルトカバー部と、このベルトカバー部から連設されて前記キャリア本体の上辺縁部にキャリア内外面に沿うように取り付けられるキャリアカバー部とから形成され、前記キャリアカバー部には前記上辺縁部からキャリア内外面を挟み込むように係止させる係止部材を備えている構成であることが好適なものとなる。
また、前記係脱部材としては、ベルベットファスナ（登録商標：マジックテープ）、ホック、スライドファスナ（登録商標：ジッパー、チャック）などを挙げることができる。また、前記係止部材としては、適度のバネ性と挟持力（保持力）を有する金属や合成樹脂からなる線材や板材などを挙げることができる。
【０００８】
このような構成によれば、ベビーキャリアにより前側抱っこや後側抱っこの状態で保持されている幼児の口が触れ易い肩掛けベルトのベルト根元部分とキャリア本体の上辺縁部を覆うようにカバー本体を装着することで、幼児の口が肩掛けベルトやキャリア本体に直接触れることを防ぐ。
【０００９】
また、係脱部材によってベルトカバー部を肩掛けベルトのベルト根元部分に巻き付けるように取り付けて、当該ベルト根元部分からキャリア本体の上辺縁部に至るようにカバー本体を装着することができ、キャリア本体の上辺縁部を覆うカバー本体のキャリアカバー部においては係止部材によって当該上辺縁部から浮き上がらないようにキャリア内外面に挟み込み係止させた状態でカバー本体を装着することができる。
【考案の効果】
【００１０】
本考案の汚れ防止カバーによれば、ベビーキャリアにより保持されている幼児の口が、肩掛けベルトのキャリア本体からの延設根元部分やキャリア本体の上辺縁部へ直接触れることを防ぐことができる。
これにより、肩掛けベルトのベルト根元部分やキャリア本体の上辺縁部が、よだれや飲食したミルクなどの付着によって汚れことを防ぐことができ、ひいては、汚れた肩掛けベルトやキャリア本体の汚染部分から幼児の口にばい菌が入ることを防ぐことができるなど、ベビーキャリアを衛生的に保つことができる。換言すれば、ベビーキャリアの使用において常に衛生的な状態で幼児を保持することができる。
【００１１】
また、カバー本体が汚れたときにはベビーキャリアから取り外して簡単に洗うことができる。これにより、汚れや悪臭などによる不快感などを幼児に与えることがない状態にベビーキャリアを常に衛生的に保つことができる。
【図面の簡単な説明】
【００１２】
【図１】本考案の第１の実施形態に係る汚れ防止カバーを装着した状態のベビーキャリアを示す展開説明図である。
【図２】同汚れ防止カバーを示す展開説明図である。
【図３】対面抱っこでの使用例を示し、（ａ）は、使用者の斜め前方から見たときの斜視図であり、（ｂ）は、同使用者の前方から見たときの正面図である。
【図４】本考案の第２の実施形態に係る汚れ防止カバーを装着した状態のベビーキャリアを示す展開斜視図である。
【図５】第２の実施形態に係る汚れ防止カバーを示す展開説明図である。
【考案を実施するための形態】
【００１３】
以下、本考案の実施形態について、適宜図面を参照しながら詳細に説明する。
図１は、本考案の第１の実施形態に係る汚れ防止カバーを装着した状態のベビーキャリアを示す展開説明図である。
【００１４】
本実施形態に係る汚れ防止カバーは、背景技術の欄で挙げた特許文献１および２などに記載されているベビーキャリアなどに装着されて幼児のよだれや飲食したミルクなどの付着によってベビーキャリアが汚れることを防ぐ。つまり、ベビーキャリアを衛生的に保つためのものである。
【００１５】
ちなみに、汚れ防止カバーが装着（適用）されるベビーキャリアＢは、図１および後記する図３に示すように、幼児Ｃの尻から背中にかけて包み込むように幼児Ｃの身体を保持するキャリア本体ｂ１と、このキャリア本体ｂ１の両側部分を形成するようにその両側からそれぞれ延設されて設けられてその延設端部側がキャリア本体ｂ１の下端両側に調整環を介してそれぞれ長さ調整可能に連結される左右の肩掛けベルトｂ２とを備えた構成を呈している。つまり、ベビーキャリアＢは、使用者は左右の肩掛けベルトｂ２によってキャリア本体ｂ１を身体の前側や後側に装着して幼児Ｃを前側抱っこ（対面・前向き抱っこ）や後側抱っこ（おんぶ）の状態で保持し得るように構成されている。
【００１６】
≪汚れ防止カバーの構成≫
図２は、第１の実施形態に係る汚れ防止カバーを示す展開説明図である。ここでは、図１を適宜参照しながら説明する。
汚れ防止カバーＡは、図１および後記する図３に示すように、左右に分離された左右２部材からなり、ベビーキャリアＢの左右の肩掛けベルトｂ２の少なくともベルト根元部分４からキャリア本体ｂ１の上辺縁部５に至るように装着されて、ベビーキャリアの保持された幼児Ｃの口が触れるように形成されている。
この汚れ防止カバーＡは、肩掛けベルトｂ２のベルト根元部分４からその根元近傍のキャリア本体ｂ１の上辺縁部５に至る形状に形成されるカバー本体１の後記するベルトカバー部１ａ側に係脱部材２を、キャリアカバー部１ｂ側に係止部材３をそれぞれ備えた形態に構成されている。
【００１７】
≪カバー本体の構成≫
カバー本体１は、肌触りがよく柔らかな布地やその他の通気性や吸水性を有する素材を用いて縫製されて、幼児Ｃの口などが触れた際に、幼児Ｃに接触による違和感などを与えないようにしている。
このカバー本体１は、図１および後記する図３に示すように、肩掛けベルトｂ２のベルト根元部分４に覆うように取り付けられるベルトカバー部１ａと、このベルトカバー部１ａから連設されてキャリア本体ｂ１の上辺縁部５を覆うように取り付けられるキャリアカバー部１ｂとから略ブーツ型（略Ｌ字状）のカバー形態に形成されている。
なお、カバー本体１は、抗菌性や防臭性を有する素材とすることが好ましい。
【００１８】
ベルトカバー部１ａは、キャリア本体ｂ１の上辺縁部５から延設する肩掛けベルトｂ２のベルト根元部分４に相当するベルト方向の高さで、ベルト幅よりも１〜２倍程度幅広く、かつ、展開可能に形成されている。これにより、ベルトカバー部１ａは、図１の（ｂ）に示すように、肩掛けベルトｂ２に巻き付け取り付けられる形態を成している。
そして、ベルトカバー部１ａは、図２に示すように、その展開一辺側表面と展開他辺側裏面とに係脱部材２を備えて、肩掛けベルトｂ２に着脱可能に取り付けられるようになっている。
【００１９】
≪係脱部材の構成≫
係脱部材２は、ベルベットファスナ（登録商標名：マジックテープ）であり、その雌側ファスナ２ａをベルトカバー部１ａの展開一辺側表面の上下位置において幅方向に所定の長さにて帯状（テープ状）に備え、雄側ファスナ２ｂを展開他辺側裏面の上下位置においてその縁辺近傍に備えられている。
これにより、雌側ファスナの長さ方向に対する雄側ファスナの係着位置を変えることで、ベビーキャリアＢの種類（形態）やメーカなどによって異なる肩掛けベルトｂ２のベルト幅にそれぞれ合わせてベルトカバー部１ａを巻き付けることができるようにしている。つまり、肩掛けベルトｂ２をベルト幅問わずに、幼児Ｃの口が直接触れないように覆うことができるようにしている。
【００２０】
なお、図示を省略しているが、係脱部材２としては、ベルベルトファスナ以外に、ホック、スライドファスナ（登録商標：ジッパー、チャック）などを挙げることができる。
【００２１】
キャリアカバー部１ｂは、肩掛けベルトｂ２のベルト根元部分４に取り付けられるベルトカバー部１ａの展開一辺側から略下向きＶ字状に連設されて、該ベルトカバー部１ａの下部側ともにキャリア本体ｂ１の上辺縁部５からキャリア内外面に沿うように形成されている。
これにより、キャリアカバー部１ｂは、キャリア本体ｂ１の上辺縁部５からキャリア内外面に沿って覆うように取り付けられるようになっている。
【００２２】
そして、キャリアカバー部１ｂは、図２に示すように、略下向きＶ字状の解放縁側に係止部材３を備えて、キャリア本体ｂ１の上辺縁部５から浮き上がらないように当該上辺縁部５からキャリア内外面に取り付けられるように形成されている。
【００２３】
≪係止部材の構成≫
係止部材３は、適度のバネ性と挟持力（保持力）を有する金属や合成樹脂製の線材や板材からなり、キャリアカバー部１ｂの解放折り返し縁側において内設されて備えられる。これにより、図１の（ｃ）に示すように、キャリアカバー部１ｂは係止部材３のキャリア内外面への挟み込み係止によってキャリア本体ｂ１の上辺縁部５から浮き上がることなく、当該上辺縁部５からキャリア内外面に沿うように取り付けられる。
【００２４】
［作用説明］
以上のように構成されている第１の実施形態に係る汚れ防止カバーＡに使用について簡単に説明する。
図３は、対面抱っこでの使用例を示す斜視図および正面図である。ここでは、図１を適宜参照しながら説明する。
汚れ防止カバーＡのベビーキャリアＢへの装着は、ベビーキャリアＢの左右の肩掛けベルトｂ２のベルト根元部分４にカバー本体１のベルトカバー部１ａを巻き付けて係脱部材２によって取り付ける（図１（ｂ）参照）。このとき、カバー本体１の略下向きＶ字状のキャリアカバー部１ｂ側をキャリア本体ｂ１の上辺縁部５に上から被せるように該上辺縁部５からキャリア内外面に沿わせる。
【００２５】
つぎに、上辺縁部５からキャリア内外面に沿わせたキャリアカバー部１ｂの係止部材３が内設されている解放折り返し縁側を内外から強く押え込む。すると、キャリアカバー部１ｂは、係止部材３によってキャリア本体ｂ１の上辺縁部５から浮き上がらないようにキャリア内外面に挟み込み係止される（図１（ｃ）の実線状態）。
これにより、図１（ａ）に示すように、汚れ防止カバーＡは、ベビーキャリアＢの左右の肩掛けベルトｂ２のベルト根元部分４からキャリア本体ｂ１の上辺縁部５を覆うようにベビーキャリアＢの左右両側にそれぞれ装着される。
【００２６】
このようにして、汚れ防止カバーＡを左右両側（左右の肩掛けベルトｂ２側）にそれぞれ装着したベビーキャリアＢによって、図３に示すように、対面抱っこの状態で幼児Ｃを保持しているとき、幼児Ｃが顔を横に向けたときなどにおいて、幼児Ｃの口は、汚れ防止カバーＡに触れることとなり、ベビーキャリアＢへ直接触れることを防ぐことができる。
すなわち、肩掛けベルトｂ２のベルト根元部分４やキャリア本体ｂ１の上辺縁部５が、よだれや飲食したミルクなどの付着によって汚れことを防ぐことができ、ひいては、汚れた肩掛けベルトｂ２やキャリア本体ｂ１の汚染部分から幼児Ｃの口にばい菌が入ることを防ぐことができるなど、ベビーキャリアＢを衛生的に保つことができる。換言すれば、ベビーキャリアＢの使用において常に衛生的な状態で幼児を保持することができる。
【００２７】
つぎに、本発明の第２に実施形態に係る汚れ防止カバーＡ０について説明する。
図４は、第２の実施形態に係る汚れ防止カバーを装着した状態のベビーキャリアを示す展開斜視図であり、図５は、同汚れ防止カバーを示す展開説明図である。
この第２の実施形態では、図４および図５に示すように、汚れ防止カバーＡ０を、ベビーキャリアＢのキャリア本体ｂ１の上辺縁部５を沿って左右の肩掛けベルトｂ２間に一連に連なる一体物（１部材）として形成したものであり、それ以外の構成要素において前記第１の実施形態詳述と基本的に同じことから同じ構成要素に同じ符号を付することで重複説明は省略する。
【００２８】
すなわち、カバー本体１０のキャリアカバー部１０ｂをキャリア本体ｂ１の上辺縁部５に沿わせて左右の肩掛けベルトｂ２のベルト根元部分４にわたる長さに形成するとともに、その両側から左右のベルトカバー部１０ａを連設させたカバー形態としてなる。
【００２９】
このように、汚れ防止カバーＡ０を一体物とすることで、図示を省略しているが、幼児Ｃを前向き抱っこの保持しているとき、キャリア本体ｂ１の上辺縁部５に幼児Ｃの口が直接触れることを防ぐことができる。つまり、上辺縁部５はその全体がカバー本体１０のキャリアカバー部１０ｂによって覆われている。
【００３０】
なお、図示を省略しているが、第２の実施形態に係る汚れ防止カバーＡ０において、キャリアカバー部１０ｂの左右の肩掛けベルトｂ２間の長さを任意に変更し得るように、キャリアカバー部１０ｂを伸縮可能な素材や長さ方向に波型伸縮可能に縫製するなどによって形成することができる。これにより、ベビーキャリアＢの種類やメーカなどによって異なる左右の肩掛けベルトｂ２の間隔（寸法）やキャリア本体ｂ１の大きさや形態などを問わずに、全てのベビーキャリアＢに対して適用させて装着することが可能となる。
また、必要に応じてキャリアカバー部１０ｂに係止部材３を要所１乃至数カ所に設けることができる。
【符号の説明】
【００３１】
Ａ，Ａ０  汚れ防止カバー
１．１０  カバー本体
１ａ，１０ａ  ベルトカバー部
１ｂ，１０ｂ  キャリアカバー部
２      係脱部材
３      係止部材
４      ベルト根元部分（肩掛けベルト）
５      上辺縁部（キャリア本体）
Ｂ      ベビーキャリア
ｂ１    キャリア本体
ｂ２    肩掛けベルト
Ｃ      幼児
【図１】
0003172867.tif 000003
【図２】
0003172867.tif 000004
【図３】
0003172867.tif 000005
【図４】
0003172867.tif 000006
【図５】
0003172867.tif 000007